(57)【要約】      （修正有）【課題】簡単な操作でありながら、様々な大きさ、形状、材質の植木鉢に対応させる鉢を吊下げて保持する鉢吊下げ具を提供する。【解決手段】鉢５０を吊下げて保持する鉢吊下げ具１０において、被係止物に係止される係止部２０と、係止部２０より下方向に延びて設けられる縦柱部２１と、縦柱部２１の下端から鉢５０の外周に向かって延ばされる横柱部２２と、横柱部２２の端部から鉢５０の側面に沿って下方向に延ばされる側柱部２３と、側柱部２３の所定の位置から鉢５０の円周方向に延ばされ、鉢５０の側面に当接される側当部３０と、横柱部２２にその中空部が嵌挿される筒部４１、筒部４１から側柱部２３に沿って延ばされる挟爪部４２、及び中空部の内面を横柱部２２に押し付けて固定する押当部４３、を備える挟持部４０と、を備える。【選択図】図１
0003210979.tif 000002
【実用新案登録請求の範囲】
【請求項１】
鉢を吊下げて保持する鉢吊下げ具において、
被係止物に係止される係止部と、
前記係止部より下方向に延びて設けられる縦柱部と、
前記縦柱部の下端から前記鉢の外周に向かって延ばされる横柱部と、
前記横柱部の端部から前記鉢の側面に沿って下方向に延ばされる側柱部と、
前記側柱部の所定の位置から前記鉢の円周方向に延ばされ、前記鉢の側面に当接される側当部と、
前記横柱部にその中空部が嵌挿される筒部、前記筒部から前記側柱部に沿って延ばされる挟爪部、及び前記中空部の内面を前記横柱部に押し付けて固定する押当部、を備える挟持部と、
を備えることを特徴とする鉢吊下げ具。
【請求項２】
前記中空部が前記横柱部に遊嵌され、前記中空部の内面を前記横柱部に押し付けていないとき、
前記中空部と前記横柱部との遊び空間分前記筒部が傾き、前記挟爪部が前記側柱部に対して開閉することを特徴とする請求項１に記載の鉢吊下げ具。
【請求項３】
前記側当部が、前記側柱部との接合部で折れ曲がった直線状のものであることを特徴とする請求項１又は２に記載の鉢吊下げ具。
【考案の詳細な説明】
【技術分野】
【０００１】
本考案は、植木鉢を吊下げた状態で保持する鉢吊下げ具に関する。
【背景技術】
【０００２】
従来、植木鉢の大きさにとらわれず、大きな植木鉢から小さな植木鉢まで対応することを目的として、特開２００４−１２１８０２号公報に、軸棒の下端部に植木鉢の外周に沿って曲線状に曲げられたｒ曲げ棒を設けるとともに、下方向に曲げられた曲げ棒を設けたパイプを軸棒に貫通させ、前記ｒ曲げ棒と前記曲げ棒とで植木鉢の上端部の厚く構成された縁を掴む植木鉢吊り具が開示されている。
【０００３】
また、同じく植木鉢の大きさの変化に広範囲に対応することを目的として、特開平８−１１２１７６号公報に、下部縦杆に、位置調整及び植木鉢を挟む厚さ調整が自在となるように３本のねじを設けた固定具を備える鉢吊り金具が開示されている。
【先行技術文献】
【特許文献】
【０００４】
【特許文献１】特開２００４−１２１８０２号公報
【特許文献２】特開平８−１１２１７６号公報
【考案の概要】
【考案が解決しようとする課題】
【０００５】
しかし、特許文献１に開示されている技術では、パイプを軸棒に対して上下に移動させることで植木鉢の全体の大きさの変化には対応できるものの、曲げ棒と軸棒との距離が一定のため、植木鉢の上端部の縁の厚さや材質が変化すると対応が困難になるという課題があった。
【０００６】
また、特許文献２に開示されている技術では、固定具の位置等を調整することで様々な植木鉢に対応させることは可能であるものの、固定具を調整するためにはねじを３本操作する必要があり、植木鉢と鉢吊り金具との着脱に手間がかかるという課題があった。
【０００７】
本考案は、上記の点に鑑みなされたもので、簡単な操作でありながら、様々な大きさ、形状、材質の植木鉢に対応させることができる鉢吊下げ具を提供することを目的とする。
【課題を解決するための手段】
【０００８】
（１）本考案の鉢吊下げ具は、
鉢を吊下げて保持する鉢吊下げ具において、
被係止物に係止される係止部と、
前記係止部より下方向に延びて設けられる縦柱部と、
前記縦柱部の下端から前記鉢の外周に向かって延ばされる横柱部と、
前記横柱部の端部から前記鉢の側面に沿って下方向に延ばされる側柱部と、
前記側柱部の所定の位置から前記鉢の円周方向に延ばされ、前記鉢の側面に当接される側当部と、
前記横柱部にその中空部が嵌挿される筒部、前記筒部から前記側柱部に沿って延ばされる挟爪部、及び前記中空部の内面を前記横柱部に押し付けて固定する押当部、を備える挟持部と、
を備えることを特徴とする。
【０００９】
本考案の鉢吊下げ具によれば、鉢の上側を保持する挟持部が、鉢の外周方向に延ばされる横柱部に挿嵌されているため、挟持部を横柱部に沿って移動させることができる。このため、挟持部と側柱部との隙間を自在に変更することができ、鉢の上端部の縁の厚さや材質が異なっても対応させることができる。また、前記挟持部に対して鉢の下側を保持する側当部が、鉢の外側面に当接されるため、あらゆる鉢の高さに対応させることができる。これらにより、様々な大きさ、形状、及び材質の植木鉢に対応させることが可能となる。
【００１０】
（２）本考案の鉢吊下げ具の好ましい例は、
前記中空部が前記横柱部に遊嵌され、前記中空部の内面を前記横柱部に押し付けていないとき、
前記中空部と前記横柱部との遊び空間分前記筒部が傾き、前記挟爪部が前記側柱部に対して開閉することを特徴とする。
【００１１】
本考案の鉢吊下げ具の好ましい例によれば、中空部が横柱部に遊嵌されて中空部と横柱部との間に遊び空間ができる。このため、押当部を作用させずに中空部の内面を横柱部に対して押し付けていないとき、中空部と横柱部との遊び空間分ほど、中空部の内面と横柱部の外面とが相対的に動いて筒部が傾く。そして、筒部が傾くことによって、筒部に設けられた挟爪部が側柱部に対して開閉する。これにより、挟爪部を開いた状態で植木鉢の上端を挟み込み、そのまま押当部を横柱部に押し付けると、中空部の内面と横柱部の外面との傾きを戻そうとする力が働く。この作用によって、挟爪部が側柱部に対して閉じようとして、植木鉢の上端部の縁を強力に挟み込むことができる。
【００１２】
（３）本考案の鉢吊下げ具の好ましい例は、
前記側当部が、前記側柱部との接合部で折れ曲がった直線状のものであることを特徴とする。
【００１３】
本考案の鉢吊下げ具の好ましい例によれば、側当部が、側柱部との接合部で折れ曲がった直線状のものであるため、側当部が植木鉢の側面に対してその円の略接線方向に当接される。これにより、植木鉢の径が変わっても、必ず側当部の２点が植木鉢に当接され、挟持部と側柱部による植木鉢の上端の挟持とあわせて、３点で植木鉢を保持することができ、安定性に優れる。
【考案の効果】
【００１４】
以上、説明したように、本考案の鉢吊下げ具によれば、簡単な操作でありながら、様々な大きさ、形状、材質の植木鉢に対応させることができる。
【図面の簡単な説明】
【００１５】
【図１】本考案の一実施形態に係る鉢吊下げ具を説明する正面図である。
【図２】図１に示す鉢吊下げ具の拡大平面図である。
【図３】挟爪部の開閉を説明する図である。
【図４】本実施形態における側当部と植木鉢の側面との当接を説明する図である。
【図５】従来品における側当部と植木鉢の側面との当接を説明する図である。
【考案を実施するための形態】
【００１６】
以下、本考案の鉢吊下げ具１０の実施の形態について、添付図面を参照して詳細に説明する。
【００１７】
図１ないし図３に示すように、本実施形態の鉢吊下げ具１０は、係止部２０と、縦柱部２１と、横柱部２２と、側柱部２３と、側当部３０と、挟持部４０とを備え、植木鉢（鉢）５０をフェンスや手摺から吊下げた状態で保持する。なお、図３（Ａ）（Ｂ）は、図１の円で囲った部分の拡大図である。
【００１８】
係止部２０は、下側に向かって開口されたフック状のものであり、被係止物となるフェンスや手摺に引っ掛ける等して係止される。また、本実施形態の鉢吊下げ具１０では、係止部２０、縦柱部２１、横柱部２２、及び側柱部２３は、１本の金属製の丸棒を曲げて加工される。もっとも、これに限られず、管材や角棒を採用することができ、また、材質に合成樹脂を用いてもよい。
【００１９】
縦柱部２１は、係止部２０より下方向に延びて設けられるもので、鉢５０を吊下げる高さを決定するものである。なお、上述のように、縦柱部２１は金属製の丸棒から構成されているため、比較的容易に曲げることができる。このため、縦柱部２１を鉢５０の直径にあわせて曲げて、係止部２０が鉢５０の中心線上の位置になるように調整することができる。
【００２０】
横柱部２２は、縦柱部２１の下端から鉢５０の外周に向かって延ばされるもので、後述する挟持部４０の中空部４４が嵌挿される。この横柱部２２は、縦柱部２１から見て鉢５０の外周に向かっていればよく、その角度までは厳密に規定されない。すなわち、本実施形態の鉢吊下げ具１０のように、鉢５０の外周に向かって斜め下方向に構成されてもよいし、水平方向、又は斜め上方向に向かって構成されてもよい。もっとも、鉢５０を保持した状態で挟持部４０がずれにくくするためには、本実施形態のように、縦柱部２１の下端から斜め下方向に延ばされる態様が好ましい。
【００２１】
側柱部２３は、横柱部２２の端部から鉢５０の外側面に沿って下方向に延ばされるもので、鉢５０の上端の縁を前記挟持部４０とともに挟み込んで保持するものである。本実施形態の鉢吊下げ具１０では、側柱部２３が、鉢５０の側面の傾斜にあわせて鉢５０の中心に向かって斜め下方向に構成されている。この側柱部２３の角度であるが、鉢５０の略逆円錐形となっている側面の角度にあわせることが好ましい。もっとも、上述のように縦柱部２１が比較的容易に曲げることができるため、鉢５０の種類によって縦柱部２１の下半分を曲げて、側柱部２３の角度を調整することができる。このため、厳密に側柱部２３の角度を規定する必要はない。
【００２２】
側当部３０は、側柱部２３の下端に設けられる板状のもので、鉢５０の円周方向に延ばされ、鉢５０の側面に当接される。この側当部３０は、側柱部２３に溶接等の方法で接合されるのであるが、この接合部３３で平面視略へ字状に曲げられ、曲げられた箇所からその端部までは略直線となっている。この側当部３０が、接合部３３から端部まで略直線となっている理由を以下に説明する。
【００２３】
図５（Ａ）（Ｂ）に示す従来品の側当部１３０では（例えば、上記特許文献１に記載された「ｒ曲げ棒」が挙げられる。）、その曲げが鉢５０の外周に沿った曲線となっており、一つの曲率の部材では径の異なる鉢５０に対応することが困難であるからである。詳しく説明すると、図５（Ａ）に示す、径が小さい鉢５０では、鉢５０の側面の１点と側当部１３０とが当接箇所１３１となって当接される。このため横方向の安定性に欠け、外力によって図の矢印方向にぐらついてしまうのである。また、図５（Ｂ）に示す、径が大きい鉢５０では、鉢５０の側面の２点と側当部１３０とが当接箇所１３２となって当接される。この態様では、安定性はあるものの、側当部１３０の端部の角に鉢５０の側面が当接され、側当部１３０と鉢５０との接触面積が小さくなり、鉢５０が変形又は破損しやすいという問題が発生する。
【００２４】
一方、本実施形態の鉢吊下げ具１０に採用されている側当部３０では、図４（Ａ）（Ｂ）に示すように、径が小さな鉢５０であっても大きな鉢５０であっても、鉢５０の側面の２点と側当部３０とが当接箇所３１，３２となって当接され安定性に優れる。また、鉢５０の側面は、側当部３０の角ではなく面と当接されるため、鉢５０と側当部３０との接触面積が増え、鉢５０の変形や破損といったことが起こりにくい。
【００２５】
図１ないし図３に戻り、挟持部４０は筒部４１と、挟爪部４２と、押当部４３とを備える。筒部４１は、上述のように横柱部２２に挿嵌されるもので、中空部４４と、筒部４１の外周部から前記中空部４４まで貫通される雌ねじとを備える筒状部材である。この中空部４４は、横柱部２２に対して径が大きく構成されており、横柱部２２に遊嵌されている。
【００２６】
挟爪部４２は、筒部４１の下側に溶接等の方法で接合される金属製の丸棒であり、上述の側柱部２３に沿って設けられている。この挟爪部４２と側柱部２３とで鉢５０の上端の縁を挟み込むのである。
【００２７】
押当部４３は、中空部４４の内面の一部を横柱部２２に押し付けて固定するもので、本実施形態の鉢吊下げ具１０では、筒部４１の雌ねじに螺着される雄ねじで構成される。この押当部４３を回動させることによって、中空部４４の内面に押当部４３の端部が突出し横柱部２２に強く当接される。これにより、押当部４３と反対側の中空部４４の内面が横柱部２２に押し付けられ固定されるのである。
【００２８】
ここで、図３（Ａ）（Ｂ）を参照しながら、挟持部４０の動作及び使用方法を説明する。先ず、図３（Ａ）に示すように、押当部４３を緩めた状態にしておく。すると、中空部４４と横柱部２２との遊び空間の分だけ、筒部４１が横柱部２２に対して相対的に傾斜して、挟爪部４２が側柱部２３に対して開く。この状態で、鉢５０の上端部の縁を挟持部４０と側柱部２３とで挟み込む。
【００２９】
次に、図３（Ｂ）に示すように、押当部４３を回動させて締め込んでいくと、押当部４３の先端が中空部４４の内面より突出し、中空部４４の内面のうち押当部４３と反対の側が横柱部２２に押し付けられる。すると、図３（Ａ）で横柱部２２に対して傾斜していた筒部４１が、横柱部２２に沿った方向に戻ろうとする力が働き、挟爪部４２が側柱部２３との関係で閉じる方向に移動する。これにより、鉢５０の上端部の縁を強力に挟み込むことができる。
【００３０】
また、挟爪部４２及び側柱部２３は、金属製の丸棒で構成されるため弾性を有している。さらに、鉢５０の上端の縁を挟爪部４２及び側柱部２３で挟んでいるとき、鉢５０の自重で挟爪部４２を側柱部２３に対して開こうとする力が働く。これらにより、常に押当部４３の雄ねじと中空部４４の雌ねじとのねじ山同士を押し付ける力が働く。このため、鉢吊下げ具１０で鉢５０を吊下げて保持しているときに、押当部４３が緩みにくくなるという効果も得られる。
【００３１】
以上、説明したように、本実施形態の鉢吊下げ具１０によれば、挟持部４０が横柱部２２に挿嵌され移動するため、鉢５０の上部部の縁の厚さや形状が変わっても対応することができる。また、側当部３０が、平面視略へ字状に曲げられた直線状の板であるため、鉢５０の様々な径に対応させることができる。これらにより、一つの大きさの鉢吊下げ具１０で、様々な大きさ、形状、及び材質の鉢５０に対応させることが可能となる。例えば、陶磁器製、硬質合成樹脂製の鉢は勿論のこと、苗木等の販売時に仮に用いられる軟質合成樹脂製の鉢にも、本実施形態の鉢吊下げ具１０は対応させることができる。
【００３２】
また、鉢５０を吊下げるとき、挟持部４０、及び側当部３０の当接箇所３１ふたつの合計３箇所で鉢５０を保持することができ、外力が加わっても鉢５０がぐらついたり落下することがない。また、鉢５０の側面が側当部３０と面で当接されるため、鉢５０に局部的な力が加わりにくく、鉢５０が変形又は破損することを防止できる。
【００３３】
また、挟持部４０の中空部４４が横柱部２２に遊び空間を持って遊嵌されているとともに、押当部４３で中空部４４を横柱部２２に押し当てることができる。これにより、前記遊び空間の分だけ挟持部４０を側柱部２３に対して開き、その後に押当部４３を操作することで挟持部４０を側柱部２３に対して閉めることができ、鉢５０の上端の縁を強力に挟み込むことができる。
【００３４】
さらに、縦柱部２１は比較的容易に曲げることができるため、吊下げる鉢５０の径や鉢５０の側面の傾斜に併せて鉢吊下げ具１０を調整することができる。
【００３５】
なお、上述の鉢吊下げ具は、本考案の例示であり、考案の趣旨を逸脱しない範囲においてその構成を適宜変更することができる。
【符号の説明】
【００３６】
１０・・鉢吊下げ具、
２０・・係止部、２１・・縦柱部、２２・・横柱部、２３・・側柱部、
３０，１３０・・側当部、３１，３２，１３１，１３２・・当接箇所、３３・・接合部、
４０・・挟持部、４１・・筒部、４２・・挟爪部、４３・・押当部、４４・・中空部
５０・・植木鉢（鉢）、
【図１】
0003210979.tif 000003
【図２】
0003210979.tif 000004
【図３】
0003210979.tif 000005
【図４】
0003210979.tif 000006
【図５】
0003210979.tif 000007